(57)【要約】      （修正有）【課題】施設利用者が何処に居るのかを知ることができる、施設利用者の管理システムを提供することにある。【解決手段】養老施設，介護施設，入院病棟などの施設に滞在する施設利用者のＩＤ情報が記録されたＩＣチップと、このＩＤ情報を発信させるアンテナなどの通信ユニットとがハウジングに固定された非接触型のＩＣタグ２と、ＩＣタグから発信されたＩＤ情報を読取る、施設建物内の各階の通路及び施設建物の出入口などに設置されるリーダー装置３と、施設建物内の通路，出入口，施設建物の周囲などに設置された監視カメラ４と、リーダー装置で読取られたＩＤ情報を入力して、個々の施設利用者による施設建物内の各階の移動及び施設建物の出入りなどの移動管理情報を時系列的にディスプレイ表示することができるパソコン５及びディスプレイ６と、を備えてなる。【選択図】図１
2007272852.tif 000002
【特許請求の範囲】
【請求項１】
養老施設，介護施設，入院病棟，学校の校舎，工場建物などの施設利用者のＩＤ情報が記録されたＩＣチップ及びこのＩＤ情報を発信するアンテナなどの通信ユニットがハウジングに固定された、施設利用者が携帯する非接触型のＩＣタグと、
ＩＣタグから発信されたＩＤ情報を読取るべく、施設内の各部屋の入口，各階の通路，エレベータ前，施設の出入口などの所望の場所に設置される複数台のリーダー装置と、
少なくとも各リーダー装置の周辺場所を撮影する複数台の監視カメラと、
各リーダー装置及び各監視カメラの遠隔制御と各リータ装置が受信したＩＤ情報及び各監視カメラによる撮像を入力する管理者用のパソコン及びディスプレイ装置と、
パソコンに格納した施設利用者の所在管理用ソフトウエアとを少なくとも備え、
パソコンのキーボード又はマウスの操作により、所在を知りたい施設利用者のＩＤ情報を指定すると、このＩＤ情報に該当する人の少なくとも氏名と、ＩＤ情報が読取られたときの監視カメラによる撮像と、この監視カメラが置かれている場所名を、顔写真とともに時系列的に読出してディスプレイ表示させることができることを特徴とする施設利用者の所在等管理システム。
【請求項２】
ディスプレイ装置による顔写真の表示の可否が、キーボード又はマウスの操作により選択的に行なわれるように構成されている請求項１に記載の施設利用者の所在等管理システム。
【請求項３】
ディスプレイ装置による施設利用者の所在の表示が、パソコンのキーボード又はマウスの操作により、施設内のフロア図による表示に切替え可能に構成されている請求項１又は２に記載の施設利用者の所在等管理システム。
【請求項４】
ＩＣタグは、名札，施設が発行する身分証，施設が発行するサービスカード，ブレスレットのいずれかに固定されている請求項１乃至３のいずれかの項に記載の施設利用者の所在等管理システム。
記載の施設利用者の所在管理システム。
【発明の詳細な説明】
【発明の詳細な説明】
【技術分野】
【０００１】  本発明は、各種施設の利用についてＩＤ情報が付与された施設利用者の所在及び出入りを検知して、この検知結果を監視カメラによる撮像とともに時系列的にディスプレイ表示できるようにパソコンで管理できる、施設利用者の所在等管理システムに関する。
【背景技術】
【０００２】  例えば、養老施設や介護施設、病身の入院施設などにおいて、施設利用者による施設内外で徘徊されることがあったり、決められた時間に部屋やベッドに戻って居ないことがあると、施設利用者の様子が気になり、場合によっては、職員が施設内外を探し回らなければならず、このための労働負担と時間は無視できず、施設利用者の安全や健康に重大な事態が生じているかも知れない。【０００３】  徘徊者などの位置検索を行なう従来技術に、携帯端末やＰＨＳとＧＰＳとを利用して行なう位置検出システム（例えば、特開２００１−３５９１４７号公報、特開２００２−１３９４５号公報）、アンテナとＩＣパッケージを備えた発信装置から発信されるＩＤ情報信号を受信装置で検知する感知システム（特開２００１−１３４８７２号公報）が知られている。【０００４】
【特許文献１】特開２０００−３３９５８３号公報
【特許文献２】特開２００１−１３４８７２号公報
【発明が解決しようとする課題】
【０００５】  しかしながら、ＧＰＳによる位置検索は建物内に居る人の位置までは検知できず、とくに、建物内の各階を区別して位置検知できない。また、施設利用者が常に携帯電話を所持しているとは限らない。
【０００６】  特許文献２の感知システムは、施設利用者などの位置確認ができても、施設利用者の現在の様子は判らないため、例えば、施設利用者が施設内の休憩所や通路に居るときでも、その様子を見に行かなければ安心できないことがあり、これに費やす時間と手間も無視できない。また、施設利用者の顔を知らない職員は、確認した場所に複数の人が居るときには、探し当てる人がどの人かを尋ねる必要がある。
【０００７】  本発明は、養老施設，介護施設，入院病棟，学校の校舎，工場建物などの施設利用者のＩＤ情報が記録されたＩＣタグを携帯した施設利用者が、施設建物内の各階の通路、出入口などを通過するときに、リーダー装置がＩＣタグのＩＤ情報を読取り、この読取ったＩＤ情報から、施設利用者の所在を、パソコンのデイスプレイ上に、監視カメラで撮影した撮像、該当者の顔写真とともに、パソコンのディスプレイ上に表示させることにより、その居場所を知ることができる、施設利用者の所在等管理システムを提供することにある。
【課題を解決する手段】
【０００８】  請求項１による施設利用者の所在等管理システムは、
養老施設，介護施設，入院病棟，学校の校舎，工場建物などの施設利用者のＩＤ情報が記録されたＩＣチップ及びこのＩＤ情報を発信するアンテナなどの通信ユニットがハウジングに固定された、施設利用者が携帯する非接触型のＩＣタグと、
ＩＣタグから発信されたＩＤ情報を読取るべく、施設内の各部屋の入口，各階の通路，エレベータ前，施設の出入口などの所望の場所に設置される複数台のリーダー装置と、
少なくとも各リーダー装置の周辺場所を撮影する複数台の監視カメラと、
各リーダー装置及び各監視カメラの遠隔制御と各リータ装置が受信したＩＤ情報及び各監視カメラによる撮像を入力する管理者用のパソコン及びディスプレイ装置と、
パソコンに格納された施設利用者の所在管理用ソフトウエアとを少なくとも備え、
パソコンのキーボード又はマウスの操作により、所在を知りたい施設利用者のＩＤ情報を指定すると、このＩＤ情報に該当する人の少なくとも氏名と、ＩＤ情報が読取られたときの監視カメラによる撮像と、この監視カメラが置かれている場所名を、顔写真とともに時系列的に読出してディスプレイ表示させることができることを特徴とする施設利用者の所在等管理システムである。
【０００９】  この施設利用者の位置情報探索システムを、施設に配備すると、管理者が管理するパソコンを利用して、ディスプレイ上に、所在を知りたい施設利用者該当の氏名と、ＩＤ情報が読取られたときの監視カメラによる撮像と、この監視カメラが置かれている場所名が、該当者の顔写真とともに時系列的に表示することができるようになる。
【００１０】  この結果、所在を知りたい人の居場所が、現場に行かなくても、容易にわかるようになり、２階以上の施設の各階ごとに居場所を知ることができるようになる。
【００１１】  また、監視カメラによる撮像と、該当者の顔写真がディスプレイ上に表示されるので、探したい人の顔を知らない職員でも、容易に、間違わずに、該当者の居場所を探し出すことができる。
【００１２】  本発明による施設利用者の所在等管理システムは、ＩＣタグとリーダー装置と、専用のパソコンソフトウエアを揃えると、監視カメラ、パソコンなどが既設のものを利用できるため、設備コスト，ランニングコストが抑えられ、経済的なシステムになることも見逃せない。
【００１３】  本発明による施設利用者の所在等管理システムは、例えば、養老施設，介護施設，入院病棟などの施設に滞在する施設利用者の所在を知るために利用される。もちろん、これらの施設だけに限定されるものではない。例えば、学校、職場などにおける、学生，先生，職員，従業員の出欠確認、所在を知るために利用することも可能である。
【００１４】  この施設利用者の所在管理システムの運用は、施設利用者の個人情報を個人情報データベースに登録することから始まる。個人情報は、施設利用者の氏名，性別，年齢，所属などが少なくとも含まれる。個人情報データベースは、各施設で既に作成・運用されている会員名簿，顧客名簿，入院患者名簿，診察記録，社員名簿，学生名簿などのデータベースを利用してもよい。
【００１５】  上記登録時には、各施設利用者毎に、シリアル番号、符号，氏名などで表されるＩＤ情報が付与され、このＩＤ情報は、個人情報データベースに登録され、また、ＩＣタグ内のＩＣチップに読出し可能に記憶される。
【００１６】  ＩＣタグは、通信領域が１ｍ以上の長距離型で、リーダー装置から誘導電流を受けて電源供給される、非接触型のＩＣタグが最適とされ、施設利用者が常時着用又は所持し易い状態にして、施設利用者に提供される。
【００１７】  リーダー装置は、ＩＣタグから発信したＩＤ情報を受信するために用いられ、施設内の各部屋の入口，各階の通路，エレベータ前，施設の出入口など、人の移動がよく判る場所に設置される。
【００１８】  監視カメラは、通常の監視による撮影と、リーダー装置の近くを通行した施設利用者を撮影するという、２つの目的をもち、これらの撮像は、パソコンに送られる。
【００１９】  パソコンは、リーダー装置と監視カメラ双方の遠隔制御を行い、また、本システムを実行するために用いられ、この実行には、パソコンの記憶装置に格納されている、専用の所在管理用ソフトウエアに沿って行われる。
【００２０】  本発明の施設利用者の所在等管理システムを施設に配備すると、この施設が提供するＩＣタグを携帯した施設利用者が、施設内に配備されているリーダー装置の前を通ると、リーダー装置がこのＩＣタグが発信する個人情報を読取る。
【００２１】  リーダー装置で読取られた個人情報は、パソコンに送られて、記憶装置に記憶される。
また、各監視カメラによる動画撮像も、パソコンに送られて、記憶装置に記憶される。
【００２２】本発明の施設利用者の所在等管理システムを利用して、管理者等が、施設利用者のうちの１人の所在を探索する場合には、管理者のパソコンを操作して、ディスプレイ装置の画面を、施設利用者の所在探索画面に切替えて、探索したい人の、例えば名前などを入力する。
【００２３】  このようにすると、パソコン内の所在管理用ソフトウエアに沿って、該当者のＩＣタグのＩＤ情報がリーダー装置で読取られたときの、監視カメラによる動画撮像が、時系列的に、すなわち、時刻に沿って、ディスプレイ上に表示され、同時に監視カメラで撮影した日時と、監視カメラで撮影した場所名と、該当者の顔写真と、該当者の氏名、所属なども表示される。
【００２４】  このため、監視カメラによる撮像に表示されている人の顔を、顔写真を見て確認し、最後に監視カメラで撮影した撮像と、その場所から、探したい人の所在を知るようにする。
【００２５】  請求項２の施設利用者の所在等管理システムでは、さらに、ディスプレイ装置による顔写真の表示の可否が、キーボード又はマウスの操作により選択的に行なわれるように構成されている。
【００２６】  施設の職員が施設利用者の顔を知っている場合には、顔写真が無くても探索できるので、このような場合に対応させるようにした。
【００２７】  請求項３の施設利用者の所在等管理システムでは、さらに、ディスプレイ装置による施設利用者の所在の表示が、パソコンのキーボード又はマウスの操作により、施設内のフロア図による表示に切替え可能に構成されている。
【００２８】  探し出したい人の所在が、施設のフロア図に表示されると、そのフロアのどの位置に居るのかがさらに判り易くなる。探し出したい人の位置は、例えば、距離センサで計測することにより得られ、その位置は、例えば、赤色のドット，矢印などで表示される。
【００２９】  請求項４の施設利用者の所在等管理システムでは、さらに、ＩＣタグは、名札，施設が発行する身分証，施設が発行するサービスカード，ブレスレットのいずれかに固定されている。
【００３０】  このようにすると、施設利用者がＩＣタグを常時携帯できる状況が作り出される。
【発明を実施するための最良の形態】
【００３１】  図１は本発明実施例の施設利用者の位置検索システムを簡略した斜視図で示している。
図１に示す実施例による施設利用者の位置検索システム１は、養老施設，介護施設，入院病棟などの施設に滞在する施設利用者のＩＤ情報が記録された非接触型のＩＣタグ２と、このＩＣタグ２から発信されたＩＤ情報を読取る複数台のリーダー装置３，３・・と、複数台の監視カメラ４，４・・と、パソコン５及びディスプレイ６を備え、各リーダー装置３，３・・と各監視カメラ４，４・・は、信号線Ｌ１，Ｌ２を介して、施設を管理する管理者のパソコン５に接続されて、ディスプレイ６を通じて、施設建物内の監視と、施設利用者が施設建物内のどの階に居るのか、施設建物から外出しているか否かが判るシステムで構成される。【００３２】  ＩＣタグ２は、例えば、名札、施設利用者証、ブレスレットなどのいずれかに固定されて、前記施設に滞在している施設利用者、即ち、養老施設の場合には被養老者、介護施設の場合には被介護者、入院病棟の場合には入院患者、が身に付け、或いは所持するものである。【００３３】  図２はＩＣタグ２とリーダー装置３の内部構造を簡略して示しており、図２に示すように、ＩＣタグ２は、内部にＩＣチップ２ａを備え、ＩＣチップ２ａには、これら施設利用者を識別するＩＤ情報が記録されており、このＩＤ情報は、ＩＣチップ２ａに接続された通信ユニット２ｂのアンテナ２ｃから発信することができる、非接触で遠距離型のＩＣタグにて構成されている。ＩＣタグ２は、内部に電源となる電池を保有するタイプのものでもよく、また、リーダー装置３，３・・の発生する交流磁界のエネルギーによる誘導結合により電力供給を受けるタイプのものであっても構わない。【００３４】  各リーダー装置３，３・・は、ＩＣチップ２から発信されたＩＤ情報を読取って、個々の施設利用者による施設建物内の各階の移動及び施設建物の出入りを検知するために用いられ、リーダー装置３は、アンテナ３ａなどの受信ユニット３ｂと、信号処理回路部３ｃとが接続されたもので構成され、信号処理回路部３ｃには、パソコン５に接続する入出力インタフエース３ｄが接続されたもので構成され、パソコン５内には、所在管理用ソフトウエアが格納されている。
そして、各リーダー装置３，３・・は、養老施設，介護施設，入院病棟などの施設建物内における各階の通路、出入口に設置される。【００３５】  各監視カメラ４，４・・は、養老施設，介護施設，入院病棟などの施設建物内の監視と、施設建物周辺の監視を行なうためにあり、施設建物の各階の通路、出入口、中庭などに設置される。【００３６】  なお、図示していないが、上記パソコンと管理センターのパソコンとを、例えば、インターネットなどの通信回線で接続できるようにして、管理センターから施設建物内の遠隔監視と、施設利用者の施設建物内及びその周辺の移動と所在確認などを遠隔管理できるようにしてもよい。【００３７】  図３はＩＣタグを携帯した施設利用者がリーダー装置で検知されたときの監視カメラによる撮像が該当者の顔写真及び氏名とともに表示されたパソコンのディスプレイ画面を示した図であり、この図に見られるように、ディスプレイ装置６には、監視カメラによる動画による撮像７１，７２，７３，７４が、４分轄画面で表示され、同時に、探し出したい人の顔写真７６、氏名などの個人情報表示欄７７が表示される。各撮像７１，７２，７３，７４には、撮影日時とその場所名が表示され、各各撮像７１，７２，７３，７４は、１画面に拡大させることが可能である。【００３８】  図４はディスプレイ上にＩＣタグを携帯した施設利用者の位置を施設建物のフロア図で表示した図であり、この図に示すように、該当者が居る位置を施設建物のフロア図に、赤色のドットＰで表示するようにしてもよい。
【図面の簡単な説明】
【００３９】
【図１】本発明実施例による施設利用者の位置検索システムを簡略して示した斜視図である。
【図２】ＩＣタグとリーダー装置の内部構造を簡略して示した図である。
【図３】ＩＣタグを携帯した施設利用者がリーダー装置で検知されたときの監視カメラによる撮像が該当者の顔写真及び氏名とともに表示されたパソコンのディスプレイ画面を示した図である。
【図４】ディスプレイ上にＩＣタグを携帯した施設利用者の位置を施設建物のフロア図で表示した図である。
【符号の説明】
【００４０】１    本発明実施例による施設利用者の位置検索システム
２    ＩＣタグ
２ａ  ＩＣチップ
２ｂ  通信ユニット
２ｃ  アンテナ
３    リーダー装置
３ａ  アンテナ
３ｂ  受信ユニット
３ｃ  信号処理回路部
３ｄ  入出力インタフエース
４    監視カメラ
５    パソコン
６    ディスプレイ
【図１】
2007272852.tif 000003
【図２】
2007272852.tif 000004
【図３】
2007272852.tif 000005
【図４】
2007272852.tif 000006